(57)【要約】【課題】  キャビネットを傾斜させて使用し、かつ、持ち運んで使用するスピーカーシステムを構成するのに適するスピーカー並びにスタンドを提供する。【解決手段】  スピーカーシステムは、スピーカーのキャビネットの背面側に設けられる第１係合部材が、キャビネットの天面に対して略並行に離隔して形成された第１係合部と、第１係合部からキャビネットの背面に対して略並行に離隔して延設して形成された第２係合部と、を有し、スタンドの基体に固定されて第１係合部材に係合する第２係合部材が、第１係合部および第２係合部が挿入される孔を形成する第３係合部を有し、キャビネットを傾斜させて支持する場合に、第１係合部材の第１係合部と第２係合部材の第３係合部が係合し、かつ、キャビネットの天面とスタンドの第１係止部が接する。【選択図】  図１
2017011576.tif 000002
【特許請求の範囲】
【請求項１】
設置面に設置する該キャビネットを所定の角度に傾斜させて支持するスタンドと、を含むスピーカーシステムであって、
該スピーカーが、該キャビネットに取り付けられる電気音響変換器と、該キャビネットの背面側に設けられる第１係合部材と、を備え、
該スタンドが、該設置面に接する脚部を有する基体と、該基体に固定されて該第１係合部材に係合する第２係合部材と、該基体に設けられて該キャビネットを傾斜させて支持する場合に該キャビネットと接する第１係止部と、を備え、
該第１係合部材が、該キャビネットの天面に対して略並行に離隔して形成された第１係合部と、該第１係合部から該キャビネットの背面に対して略並行に離隔して延設して形成された第２係合部と、を有し、
該第２係合部材が、該第１係合部および該第２係合部が挿入される孔を形成する第３係合部を有し、
該キャビネットを傾斜させて支持する場合に、該第１係合部材の該第１係合部と該第２係合部材の該第３係合部が係合し、かつ、該キャビネットの該天面と該スタンドの該第１係止部が接する、
スピーカーシステム。
【請求項２】
前記スタンドが、前記基体に設けられるハンドル部と、前記スピーカーシステムを運搬する場合に前記キャビネットと接する第２係止部と、をさらに備え、
ユーザーが該ハンドル部を支持して該スピーカーシステムを運搬する場合に、該第１係合部材の該第２係合部と該第２係合部材の該第３係合部が係合し、かつ、該キャビネットの前記背面と該スタンドの該第２係止部が接する、
請求項１に記載のスピーカーシステム。
【請求項３】
前記キャビネットの前記天面が、前記背面に対して直交しない傾斜面を含み、前記第１係合部材が、該キャビネットの該背面と該傾斜面の角部に設けられる、
請求項１または２に記載のスピーカーシステム。
【請求項４】
前記スタンドが、前記基体の前記設置面に接する前記脚部からの離隔距離が異なるように設けられる複数の前記第２係合部材を備える、
請求項１から３のいずれかに記載のスピーカーシステム。
【請求項５】
請求項１から４のいずれかに記載のスピーカーシステムにおけるスピーカー。
【請求項６】
請求項１から４のいずれかに記載のスピーカーシステムにおけるスタンド。
【発明の詳細な説明】
【技術分野】
【０００１】
本発明は、スピーカーシステムおよびこれを構成するスピーカー並びにスタンドに関し、特に、設置面に設置するキャビネットを所定の角度に傾斜させて支持し、かつ、運搬に使用するにも適するスタンドを含むスピーカーシステムに関する。
【背景技術】
【０００２】
音声信号を音波に変換して再生するスピーカーシステムでは、音声信号を増幅器（アンプ）で電力増幅して、電機音響変換器へ供給し、可聴音域の音波を再生する。電機音響変換器では、磁気回路およびボイスコイルを備える動電型スピーカーが一般的に使用される。動電型スピーカーでは、磁気回路の磁気空隙中に振動可能に配置されたボイスコイルに音声信号電流が供給されると、磁気空隙中の磁界により駆動力を受けるので、ボイスコイルに連結する振動板が振動して、その結果、音波が再生される。
【０００３】
スピーカーシステムでは、振動板の前後の空間を分離するのに、電機音響変換器をキャビネットに取り付けてスピーカーを構成する。また、例えば、スピーカーシステムでは、スピーカーのキャビネットを支持して設置するスタンドが用いられる場合がある。従来のスピーカースタンドでは、スピーカーシステムの背面にスタンドを装着するための穴を設け、この穴に一端が差し込まれる棒状の固定スタンドとこの固定スタンドの他端を伸縮自在に差し込むことの可能な筒状の回動スタンドよりなるものがある（特許文献１：第１〜３図）。
【０００４】
また、スピーカーシステムでは、キャビネットの内部に増幅器を内蔵するような増幅器付きスピーカーシステムが存在する。例えば、エレキギターのような電気楽器を演奏する場合に、演奏者が足下に置いて使用するモニター用のスピーカーは、増幅器付きスピーカーシステムである。
【０００５】
上述のギタースピーカーの中には、床面に設置するもののモニター用の再生音がギター演奏者に向くように、専用のスタンドを設けてキャビネットを所定の角度に傾斜させるものがある。専用のスタンドは、スピーカーのキャビネットの背面もしくは底面側の角部を含めて載置するように構成するようにして、キャビネットを傾斜させるものがある。またギタースピーカーの中には、特許文献１のようにスピーカーのキャビネットの背面を支えるスタンドを設け、キャビネットを所定の角度に傾斜させるものがある。
【０００６】
しかしながら、スピーカーシステムのキャビネットを傾斜させるように支持するスタンドは、キャビネットに対してスタンドをネジ等の手段で連結して固定しないと不安定になり、スピーカーとともに転倒しやすいという問題がある。一方で、ネジ等の手段でキャビネットとスタンドとを連結して固定してしまうと、スタンド部分が突出してユーザーが持ち運びするのに不便な場合があるという問題がある。特に、持ち運んで使用する用途が多いギタースピーカーのようなスピーカーシステムでは、キャビネットを傾斜させて使用する場合に安定性があり、かつ、取り付け・取り外しが容易で持ち運びに適するスタンドが要望されている。
【先行技術文献】
【特許文献】
【０００７】
【特許文献１】実開昭６１−１７９８９２号公報
【発明の概要】
【発明が解決しようとする課題】
【０００８】
本発明は、上記の従来技術が有する問題を解決するためになされたものであり、その目的は、キャビネットを傾斜させて使用し、かつ、持ち運んで使用するスピーカーシステムを構成するのに適するスピーカー並びにスタンドを提供することにある。
【課題を解決するための手段】
【０００９】
本発明のスピーカーシステムは、キャビネットを含むスピーカーと、設置面に設置するキャビネットを所定の角度に傾斜させて支持するスタンドと、を含むスピーカーシステムであって、スピーカーが、キャビネットに取り付けられる電気音響変換器と、キャビネットの背面側に設けられる第１係合部材と、を備え、スタンドが、設置面に接する脚部を有する基体と、基体に固定されて第１係合部材に係合する第２係合部材と、基体に設けられてキャビネットを傾斜させて支持する場合にキャビネットと接する第１係止部と、を備え、第１係合部材が、キャビネットの天面に対して略並行に離隔して形成された第１係合部と、第１係合部からキャビネットの背面に対して略並行に離隔して延設して形成された第２係合部と、を有し、第２係合部材が、第１係合部および第２係合部が挿入される孔を形成する第３係合部を有し、キャビネットを傾斜させて支持する場合に、第１係合部材の第１係合部と第２係合部材の第３係合部が係合し、かつ、キャビネットの天面とスタンドの第１係止部が接する。
【００１０】
好ましくは、本発明のスピーカーシステムは、スタンドが、基体に設けられるハンドル部と、スピーカーシステムを運搬する場合にキャビネットと接する第２係止部と、をさらに備え、ユーザーがハンドル部を支持してスピーカーシステムを運搬する場合に、第１係合部材の第２係合部と第２係合部材の第３係合部が係合し、かつ、キャビネットの背面とスタンドの第２係止部が接する。
【００１１】
好ましくは、本発明のスピーカーシステムは、キャビネットの天面が、背面に対して直交しない傾斜面を含み、第１係合部材が、キャビネットの背面と傾斜面の角部に設けられる。
【００１２】
好ましくは、本発明のスピーカーシステムは、スタンドが、基体の設置面に接する脚部からの離隔距離が異なるように設けられる複数の第２係合部材を備える。
【００１３】
また、本発明のスピーカーは、上記のスピーカーシステムを構成する。
【００１４】
また、本発明のスタンドは、上記のスピーカーシステムを構成する。
【００１５】
以下、本発明の作用について説明する。
【００１６】
本発明のスピーカーシステムは、キャビネットを含むスピーカーと、設置面に設置するキャビネットを所定の角度に傾斜させて支持するスタンドと、を含む。また、好ましくは、このスピーカーシステムのスタンドは、ユーザーが支持するハンドル部を備えてスピーカーシステムを運搬することができる。したがって、キャビネットの前面側に取り付けられている動電型スピーカーを、上向きに近づけるようにキャビネットを後ろ側へ傾斜させて使用する場合があり、また、持ち運んで使用する用途が多いギタースピーカーのようなスピーカーシステムに適する。
【００１７】
スピーカーは、キャビネットに取り付けられる電気音響変換器と、キャビネットの背面側（好ましくは、キャビネットの背面と天面の角部）に設けられる第１係合部材と、を備える。また、スタンドは、設置面に接する脚部を有する基体と、基体に固定されて第１係合部材に係合する第２係合部材と、基体に設けられてキャビネットを傾斜させて支持する場合にキャビネットと接する第１係止部と、を備える。したがって、キャビネットに取り付けられた第１係合部材とスタンドの第２係合部材とが係合し、かつ、キャビネットとスタンドの第１係止部とが接することで、後ろ側に傾斜させたスピーカーのキャビネットを、スタンドの基体が背面側から支えることができる。スタンドの基体は、キャビネットの大きさに相当する板状の部材で構成してもよい。
【００１８】
具体的には、第１係合部材は、キャビネットの天面に対して略並行に離隔して形成された第１係合部と、第１係合部からキャビネットの背面に対して略並行に離隔して延設して形成された第２係合部と、を有する。また、第２係合部材は、第１係合部および第２係合部が挿入される孔を形成する第３係合部を有する。したがって、キャビネットを傾斜させて支持する場合に、キャビネットの第１係合部材の第１係合部とスタンドの第２係合部材の第３係合部とが係合することになる。このとき、キャビネットの天面とスタンドの第１係止部が接することになって、スタンドは、安定的にキャビネットを傾斜させて支持できる。
【００１９】
一方で、スタンドが、基体に設けられるハンドル部に加えて、スピーカーシステムを運搬する場合にキャビネットと接する第２係止部をさらに備える場合には、運搬の際にキャビネットの第１係合部材の第２係合部とスタンドの第２係合部材の第３係合部が係合することになる。このとき、開いたスタンドが閉まるように、キャビネットの背面とスタンドの第２係止部が接する。したがって、ユーザーは、スタンドをスピーカーから取り外すことなく、比較的にコンパクトに持ち運びができる。
【００２０】
また、スピーカーのキャビネットの天面が、背面に対して直交しない傾斜面を含んでいても、第１係合部材が、キャビネットの背面と傾斜面の角部に設けられればよい。例えば、スピーカーのキャビネットの縦方向の断面が、約９０度回転させた台形状であって、お互いに平行でない斜面が天面もしくは底面になるような断面形状であるスピーカーである場合にも、第１係合部材が、キャビネットの天面の傾斜面に対して略並行に離隔して形成された第１係合部と、第１係合部からキャビネットの背面に対して略並行に離隔して延設して形成された第２係合部と、を有していればよい。後ろ側に傾斜させたスピーカーのキャビネットを、スタンドの基体が背面側から支えることができ、また、スタンドをスピーカーから取り外すことなく運搬できる。
【００２１】
また、スタンドは、基体の設置面に接する脚部からの離隔距離が異なるように設けられる複数の第２係合部材を備えていてもよい。第１係合部材が、複数の第２係合部材のうち、それらの何れかと係合すると、キャビネットが傾斜する角度が脚部からの異なる離隔距離に応じて変化する。したがって、このスピーカーシステムのスタンドは、ユーザーが所定の複数の角度設定の中から使いやすいキャビネットの傾斜角度を選ぶことができる。
【発明の効果】
【００２２】
本発明のスピーカーシステムは、キャビネットを傾斜させて使用し、かつ、持ち運んで使用するスピーカーシステムを構成するのに適するスピーカー並びにスタンドを提供することができる。
【図面の簡単な説明】
【００２３】
【図１】本発明の好ましい実施形態によるスピーカーシステム１について説明する図である。（実施例１）
【図２】本発明の好ましい実施形態によるスピーカー２について説明する図である。（実施例１）
【図３】本発明の好ましい実施形態によるスタンド３について説明する図である。（実施例１）
【図４】本発明の係合部材（フック１０、ハンガー２０）について説明する図である。（実施例１）
【図５】本発明の好ましい実施形態によるスピーカーシステム１の使用状態について説明する図である。（実施例１）
【図６】本発明の係合部材（フック１０、ハンガー２０）について説明する図である。（実施例１）
【図７】本発明の好ましい実施形態によるスピーカーシステム１の使用状態について説明する図である。（実施例１）
【図８】本発明の係合部材（フック１０、ハンガー２０）について説明する図である。（実施例１）
【発明を実施するための形態】
【００２４】
以下、本発明の好ましい実施形態によるスピーカーシステムおよびこれを構成するスピーカー並びにスタンドについて説明するが、本発明はこれらの実施形態には限定されない。
【実施例１】
【００２５】
図１は、本発明の好ましい実施形態によるスピーカーシステム１について説明する図である。具体的には、本実施例のスピーカーシステム１は、エレキギターのような電気楽器を演奏する場合に、演奏者が足下に置いて使用するモニター用の増幅器付きスピーカーシステムである。スピーカーシステム１は、動電型スピーカー５が木製の板部材から構成されるキャビネット６に取り付けられるスピーカー２と、これを床面４に設置する場合に傾斜させて支えるスタンド３を含み、図１はこれを側面側から見た斜視図である。なお、説明に不要な一部の構造や、内部構造等は、図示ならびに説明を省略している。
【００２６】
図２は、スピーカー２について説明する図であり、図２（ａ）が正面図、図２（ｂ）が側面図、図２（ｃ）が背面図である。スピーカー２のキャビネット６は、正面６ｆに動電型スピーカー５が取り付けられて、防塵ネット８が動電型スピーカー５を覆って保護している。また、キャビネット６は、一方の側面６ｇに増幅器の操作部７が配置されている。キャビネット６は、前面視した場合に略正方形の形状であって、図示するように操作部７が横側に現れるように設置する場合と、これを９０度回転させて図示する側面６ｈを下側にして操作部７が上側に現れるように設置する場合と、を使い分けることが出来るように意図されて設計されている。本実施例では、図２に図示する場合を前提として、天面６ａ、側面６ｇ、等を定義する。
【００２７】
キャビネット６は、側面視した場合に台形を約９０度回転させたような断面形状を有している。つまり、キャビネット６は、一般的な直方体形状のキャビネットの背面側の稜線である角部２カ所を大きく面取りしたような形状であり、天面に相当する面が、前面６ｆに対して略直交する底面６ｅに対して平行な天面６ａと、底面６ｅに対して平行ではなく、また、背面６ｃに対して直交しない傾斜面６ｂと、から構成されている。同様に、底面６ｅと背面６ｃの間にも背面６ｃに対して直交しない傾斜面６ｄが構成されている。したがって、キャビネット６は、図１のように、スタンド３を用いて傾斜させて床面４に設置するのに適している。また、スピーカー２のキャビネット６は、その背面側であって背面６ｃと天面を構成する傾斜面６ｂとの角部に、後述する２個のフック１０を備える。
【００２８】
図３は、スタンド３について説明する図であり、図３（ａ）が正面図、図３（ｂ）が側面図である。スタンド３は、所定の厚みの一枚板状の木材を加工して、ギターをモチーフにした形状に形取った基体を構成するスタンド板３０を含む。スタンド板３０は、下側に床面に接する脚部３１と、その表面３２から裏面３５に貫通するハンドル孔３３を規定するハンドル部３４を有する。スタンド３の表面３２には、複数の後述するハンガー２０を備える。ハンガー２０は、２個一組で脚部３１からの離隔距離ｄが異なる３カ所（ｄ１＞ｄ２＞ｄ３）に設けられている。
【００２９】
また、スタンド３の表面３２には、複数の後述する係止部材４１、４２、４３が取り付けられている。係止部材４１、４２、４３は、スタンド板３０の中央付近に上側から順番に異なる３カ所に設けられている。係止部材４１、４２は、ハンガー２０の取り付け位置から上側に配置されている。また、係止部材４３は、ハンガー２０の取り付け位置から下側に配置されている。本実施例では、係止部材４１、４２、４３は、スタンド３の表面３２に別個に設けられているが、スタンド３の基体を構成するスタンド板３０の形状が変わる場合には、他の部材に変更する、あるいは、一体化して別に取り付ける部材を省略することもできる。
【００３０】
図４は、スピーカーシステム１の係合部材について説明する図である。具体的には、図４（ａ）がフック１０の拡大斜視図であり、図４（ｂ）がハンガー２０の拡大斜視図である。フック１０およびハンガー２０は、薄板状の金属をプレス加工あるいは折曲加工により所定の形状に形成した部材であって、それぞれキャビネット６またはスタンド板３０にネジ９により固定される。
【００３１】
フック１０は、キャビネット６の背面側であって傾斜面６ｂと背面６ｃとの角部に配置される。フック１０は、キャビネット６の天面を構成する傾斜面６ｂに対して略並行に離隔して形成された係合部１１と、係合部１１からキャビネット６の背面６ｃに対して略並行に離隔して延設して形成された係合部１２と、係合部１１および係合部１２を支持してキャビネット６に固定する固定部１３と、を有する。したがって、フック１０の係合部１１および係合部１２は、キャビネット６の背面側の角部に沿って屈曲したフックを形成する。
【００３２】
一方で、ハンガー２０は、スタンド板３０の表面３２の所定位置に配置される。ハンガー２０は、フック１０の係合部１１および係合部１２が挿入される孔２３を形成する係合部２１および係合部２２と、係合部２１および係合部２２を支持してスタンド板３０の表面３２に固定する固定部２４と、を有する。ハンガー２０は、固定部２４のネジ孔２５を介してネジ９によりスタンド板３０の表面３２に固定すればよい。
【００３３】
本実施例のフック１０およびハンガー２０は、非常に簡単な構成であるので、相互に係合させてスピーカー２をスタンド３に取り付け・取り外しするのが、容易である利点がある。なお、フック１０およびハンガー２０は、相互に係合する部材であれば、本実施例の形状、配置に限定されない。
【００３４】
図５および図７は、スピーカーシステム１の使用状態についてそれぞれ説明する図である。また、図６および図８は、上記それぞれの使用状態における係合部材（フック１０、ハンガー２０）の拡大断面図である。つまり、図５および図６が、スピーカー２のキャビネット６をスタンド３に所定の角度に傾斜させて支持させて、スピーカーシステム１を床面４に設置して使用する場合を説明する図である。一方で、図７および図８が、ユーザーがスピーカーシステム１を床面４から持ち上げて、スピーカー２をスタンド３とともに運搬する場合を説明する図である。
【００３５】
図５（ａ）は、スピーカー２のキャビネット６を、床面４と前面６ｆとの角度が９０度よりも小さい所定の角度α１になるように傾斜させて、動電型スピーカー５が少し上向きになるように設置した場合である。スタンド３は、スピーカー２のキャビネット６の背面の角部において、フック１０およびハンガー２０が係合してスピーカー２とスタンド３とを連結する。さらに、キャビネット６の天面６ａならびに傾斜面６ｂとスタンド３の表面３２に設けられる係止部４１ならびに４２が接して、スピーカー２およびスタンド３との間を開こうとする重力に抗するので、スタンド３は、スピーカーシステム１が転倒することがないように支えることができる。このとき、フック１０が係合するハンガー２０は、スタンド３に設けられる複数組の中から最も上側であって、脚部３１からの離隔距離ｄが最も大きいｄ１となる組が選択されている。
【００３６】
図５（ｂ）は、スピーカー２のキャビネット６を、床面４と前面６ｆとの角度が９０度よりもさらに小さい所定の角度α３になるように傾斜させて、動電型スピーカー５がさらに上向きになるように設置した場合である。このとき、フック１０が係合するハンガー２０は、スタンド３に設けられる複数組の中から最も下側であって、脚部３１からの離隔距離ｄが最も小さいｄ３となる組が選択されている。スタンド３は、スピーカー２のキャビネット６の背面の角部において、フック１０およびハンガー２０が係合してスピーカー２とスタンド３とを連結し、さらに、キャビネット６の天面６ａならびに傾斜面６ｂとスタンド３の表面３２に設けられる係止部４２が接して、スピーカー２およびスタンド３との間を開こうとする重力に抗するので、スピーカーシステム１が転倒することがないように支えることができる。
【００３７】
なお、図示しないが、フック１０が係合するハンガー２０を、脚部３１からの離隔距離ｄがｄ１よりも小さくｄ３よりも大きい値のｄ２となる組を選択するようにすれば、その中間の所定の角度α２（α１＞α２＞α３）で傾斜させることができる。このように、フック１０が、複数のハンガー２０のうち、それらの何れかと係合するように設計すれば、キャビネット６が傾斜する角度を脚部３１からの異なる離隔距離ｄに応じて変化させることができる。したがって、このスピーカーシステム１のスタンド３では、ユーザーが所定の複数の角度設定の中から使いやすいように、スピーカー２のキャビネット６の傾斜角度を選ぶことができる。
【００３８】
図６は、図５の使用状態における係合部材（フック１０、ハンガー２０）の拡大断面図である。スピーカー２のキャビネット６を傾斜させる場合には、傾斜面６ｂに対して略並行に離隔して延設して形成されたフック１０の係合部１１が、ハンガー２０の係合部２１および係合部２２により形成される孔２３に挿入されて、フック２０と係合する。その結果、キャビネット６の傾斜面６ｂとスタンド３のスタンド板３０とが平行になるように近づいて連結することになるので、キャビネット６の天面６ａならびに傾斜面６ｂとスタンド３の表面３２に設けられる係止部４２が接すれば、スタンド３はスピーカー２を十分強固に傾斜させて支持させることができる。
【００３９】
図７（ａ）は、ユーザーがスピーカーシステム１を床面４から持ち上げて、スピーカー２をスタンド３とともに運搬する場合の正面図であって、図７（ｂ）は、その側面図である。図７では、ユーザーの手の図示は省略しているが、スタンド板３０に設けられているハンドル孔３３を規定するハンドル部３４を手に持って、矢印に図示する上方向に、床面４から離して持ち上げる場合を想定している。スタンド３は、スピーカー２のキャビネット６の背面の角部において、フック１０およびハンガー２０が係合してスピーカー２とスタンド３とを連結する。さらに、ハンドル部３４を持ち上げようとする力を上向きに加えると、フック１０およびハンガー２０を支点としてスピーカー２が重力に従って下がろうとするものの、キャビネット６の背面６ｃとスタンド３の表面３２に設けられる係止部４３が接するので、スタンド３は、スピーカー２をスタンド３とともに運搬することができる。
【００４０】
図７の場合には、フック１０が係合するハンガー２０は、スタンド３に設けられる複数組の中から最も上側であって、脚部３１からの離隔距離ｄが最も大きいｄ１となる組が選択されている。ただし、フック１０が係合するハンガー２０は、スタンド３に設けられる複数組の中からいずれかを選択すればよい。ユーザーは、スピーカーシステム１を床面４から持ち上げて、スピーカー２をスタンド３とともに運搬することができる。
【００４１】
図８は、図７の使用状態における係合部材（フック１０、ハンガー２０）の拡大断面図である。スピーカー２をスタンド３とともに運搬する場合には、傾斜面６ｂに対して略並行に離隔して延設して形成されたフック１０の係合部１２が、ハンガー２０の係合部２１および係合部２２により形成される孔２３に挿入されて、フック２０と係合する。その結果、キャビネット６の背面６ｃとスタンド３のスタンド板３０とが平行になるように近づいて連結することになるので、キャビネット６の背面６ｃとスタンド３の表面３２に設けられる係止部４２が接すれば、スタンド３は、スピーカーシステム１を床面４から持ち上げて、スピーカー２をスタンド３とともに運搬することができる。
【００４２】
本実施例では、スピーカー２のキャビネット６は、側面視した場合に台形を約９０度回転させたような断面形状を有しているので、スタンド３によって後ろ側に傾斜させて支持して床面４に設置するのに適している。ただし、キャビネット６は、一般的な直方体形状のキャビネットであってもよく、キャビネット６の天面６ａは、背面６ｃとの稜線である角部に本実施例のような傾斜面６ｂを含まなくてもよい。係合部材であるフック１０は、キャビネット６の背面側であって天面６ａと背面６ｃとの角部に配置されればよい。その場合には、フック１０は、キャビネット６の天面６ａに対して略並行に離隔して形成された係合部１１と、係合部１１からキャビネット６の背面６ｃに対して略並行に離隔して延設して形成された係合部１２と、係合部１１および係合部１２を支持してキャビネット６に固定する固定部１３と、を有していればよい。
【００４３】
また、スタンド３のスタンド板３０は、図示するような形状のものに限定されない。スタンド板３０は、基体に脚部３１と、ハンドル孔３３を規定するハンドル部３４と、複数のハンガー２０とを有していれば、他の材料等により構成してもよい。なお、図１および図３に示すように、スタンド３のスタンド板３０の裏面３５は、スピーカー２を傾斜させて支持する場合に、例えばエレキギターの演奏者の位置とは反対側に露出する大きな一枚板状の平面になる。したがって、スタンド３の裏面３５は、例えば、観客・聴取者にアピールする製品ロゴ等を大きく描くのに適している。
【００４４】
上記の実施例では、エレキギターのような電気楽器の演奏者が、足下に置いて使用するモニター用の増幅器付きスピーカーシステム１について説明したが、スピーカー２は、増幅器を内蔵するものに限られない。スピーカーシステム１は、ポータブルなスピーカーであればよく、キャビネットとスタンドに設けられる係合部材を用いて、キャビネットを後ろ側へ傾斜させて使用することができ、かつ、一体に持ち運ぶことができるスピーカーシステムであればよい。
【産業上の利用可能性】
【００４５】
本発明のスピーカーシステムおよびこれを構成するスピーカー並びにスタンドは、音声信号を再生する音響装置、ステレオ装置のみならず、ディスプレイ等の映像・音響機器、スピーカーを内蔵するゲーム機、電話機、等にも適用が可能である。
【符号の説明】
【００４６】
１        スピーカーシステム
２        スピーカー
３        スタンド
４        床面
５        動電型スピーカー
６        キャビネット
７        操作部
８        防塵ネット
９        ネジ
１０      フック
１１、１２、２１、２２、２３  係合部
１３、２４  固定部
２０      ハンガー
３０      スタンド板
３１      脚部
３２      表面
３３      ハンドル孔
３４      ハンドル部
３５      裏面
４１、４２、４３    係止部材
【図２】
2017011576.tif 000003
【図３】
2017011576.tif 000004
【図５】
2017011576.tif 000005
【図７】
2017011576.tif 000006
【図１】
2017011576.tif 000007
【図４】
2017011576.tif 000008
【図６】
2017011576.tif 000009
【図８】
2017011576.tif 000010